(57)【要約】【課題】本考案は、ディジタルカメラに適用されるマイクロ距離顕微撮影スイッチ装置を提供する。【解決手段】主体は、枠体構造であり、当該枠体構造は、内部空間と中空部とがあり、当該中空部は、ディジタルカメラのレンズが通すためのものであり、また、当該枠体構造は、当該ディジタルカメラの本体に接合固定される。鏡筒リングは、中空リング形状構造で、当該主体の中空部を囲むように、当該主体に接合される。レンズベースは、当該鏡筒リングに接合され、また、当該レンズベースの中央領域にレンズ穴が設置される。レンズは、当該レンズベースのレンズ穴に嵌設される。少なくとも一つ以上の光源発生素子は、長鏡筒とレンズベースとの間に設置され、当該光源発生素子が発生した光源は、当該長鏡筒を介して、外部へ出る。長鏡筒は、レンズベースに接合される。【選択図】図１
0003120470.tif 000002
【実用新案登録請求の範囲】
【請求項１】
ディジタルカメラに提供されるマイクロ距離顕微撮影スイッチ装置であって、
枠体構造であり、当該枠体構造は、内部空間と中空部とがあり、当該中空部は、ディジタルカメラのレンズが通すためのものであり、当該枠体構造は、当該ディジタルカメラの本体に接合固定される主体と、
中空リング形状構造であり、当該主体の中空部を囲むように、当該主体に接合される鏡筒リングと、
当該鏡筒リングに接合され、中央領域に、レンズ穴が設置されるレンズベースと、
当該レンズベースのレンズ穴に嵌設されるレンズと、
長鏡筒と当該レンズベースとの間に設置され、発生した光源が、当該長鏡筒を介して外部へ出る少なくとも一つ以上の光源発生素子と、
が含有され、
当該長鏡筒は、当該レンズベースに接合される、
ことを特徴とするマイクロ距離顕微撮影スイッチ装置。
【請求項２】
当該光源発生素子は、発光ダイオードであることを特徴とする請求項１に記載のマイクロ距離顕微撮影スイッチ装置。
【請求項３】
更に、当該光源発生素子に電気的に接続される電池が含有されることを特徴とする請求項１に記載のマイクロ距離顕微撮影スイッチ装置。
【請求項４】
更に、当該電池に電気的に接続され、当該主体に設置されるスイッチが含有されることを特徴とする請求項３に記載のマイクロ距離顕微撮影スイッチ装置。
【請求項５】
当該電池は、当該ディジタルカメラと当該主体との間に設置されることを特徴とする請求項３に記載のマイクロ距離顕微撮影スイッチ装置。
【請求項６】
当該主体の内部空間に、プリント回路基板が収納されることを特徴とする請求項１に記載のマイクロ距離顕微撮影スイッチ装置。
【請求項７】
当該主体の枠体構造は、カメラ付けの携帯電話や撮影機能付けのPDAの本体に接合固定されることを特徴とする請求項１に記載のマイクロ距離顕微撮影スイッチ装置。
【考案の詳細な説明】
【技術分野】
【０００１】
本考案は、ディジタルカメラに適用される部品に関し、特に、ディジタルカメラに適用されるマイクロ距離顕微撮影スイッチ装置に関する。
【背景技術】
【０００２】
従来の、ディジタルカメラに使用されるマイクロ距離顕微撮影スイッチ装置は、構造として、一つの鏡筒を利用し、また、鏡筒の内部に、少なくとも一つ以上のレンズが設置される。使用する時、直接に、鏡筒をディジタルカメラに螺合する。このような従来のマイクロ距離顕微撮影装置は、構造のため、撮影したマイクロ距離顕微撮影写真の効果が限られている。
【０００３】
本考案は、上記の従来のマイクロ距離顕微撮影スイッチ装置の欠陥を解消するために、マイクロ距離顕微撮影の効果を大幅に向上できる、構造が完全に異なるマイクロ距離顕微撮影スイッチ装置を提案する。
【考案の開示】
【考案が解決しようとする課題】
【０００４】
本考案の目的は、ディジタルカメラに適用され、より良いマイクロ距離顕微撮影効果が得られるマイクロ距離顕微撮影スイッチ装置を提供する。
【課題を解決するための手段】
【０００５】
本考案は、上記の目的を達成するためのディジタルカメラに適用するマイクロ距離顕微撮影スイッチ装置である。主体は、枠体構造であり、当該枠体構造は、内部空間と中空部とがあり、当該中空部は、ディジタルカメラのレンズが通すためのものであり、また、当該枠体構造は、当該ディジタルカメラの本体に接合固定される。鏡筒リングは、中空リング形状構造で、当該主体の中空部を囲むように、当該主体に接合される。レンズベースは、当該鏡筒リングに接合され、また、当該レンズベースの中央領域にレンズ穴が設置される。レンズは、当該レンズベースのレンズ穴に嵌設される。少なくとも一つ以上の光源発生素子は、長鏡筒とレンズベースとの間に設置され、当該光源発生素子が発生した光源は、当該長鏡筒を介して、外部へ出る。長鏡筒は、レンズベースに接合される。
【考案を実施するための最良の形態】
【０００６】
図１は、本考案に係わるマイクロ距離顕微撮影スイッチ装置がディジタルカメラに適用される時の立体分解図である。本考案は、マイクロ距離顕微撮影スイッチ装置10であり、ディジタルカメラ20に合わせて使用される。ユーザーは、本考案を使用する時、マイクロ距離顕微撮影スイッチ装置10をディジタルカメラ20の本体に接合することだけで、極めて近距離で撮影することができ、また、本考案に係わるマイクロ距離顕微撮影スイッチ装置10は、光学増幅機能を有するため、極めて短い距離で、顕微効果が得られるように、物体を撮影することができる。以下、本考案の各部品について、詳しく説明する。
【０００７】
主体11は、枠体構造であり、当該枠体構造は、ディジタルカメラ20の本体に接合固定される。当該枠体構造は、内部空間と中空部110とが含有される。中空部110は、ディジタルカメラ20のレンズ201が通すためのものである。枠体の材質は、不透過の材質であり、例えば、不透過であるプラスチック材料や金属である。
【０００８】
鏡筒リング13は、中空リング形状構造で、主体11に接合される。鏡筒リング13の中空領域は、主体11の中空部110を囲むようになる。ディジタルカメラ20のレンズ201は、長さが主体11の厚さより大きいため、中空部110を通るレンズ201が、鏡筒リング13に収納される。鏡筒リング13の材質は、不透過の材質であり、例えば、不透過であるプラスチック材料や金属である。
【０００９】
レンズベース15は、鏡筒リング13に接合され、また、中央領域に、レンズ穴150が設置される。レンズ17は、レンズベース15のレンズ穴150に嵌設される。レンズベース15の材質は、不透過の材質であり、例えば、不透過であるプラスチック材料や金属である。
【００１０】
少なくとも一つ以上の光源発生素子19は、長鏡筒21とレンズベース15との間に設置される。当該光源発生素子19は、光源を発生するためのものであり、発生した光源は、長鏡筒21を介して、外部へ射出する。当該光源発生素子19は、発光ダイオード(LED)であり、例えば、プリント回路基板の薄い基板に半田付けられる。或いは、当該光源発生素子19を、レンズベース15に設置してもよい。
【００１１】
長鏡筒21は、レンズベース15に接合される。長鏡筒21は、撮影する物体に接近するためのものであり、この時、物体が結像する光学経路は、長鏡筒21からレンズ17を介してレンズ201へ入射する。
【００１２】
また、本考案に係わるマイクロ距離顕微撮影スイッチ装置10は、更に、電池23が含有される。電池23は、当該光源発生素子19に電気的に接続され、電力を当該光源発生素子19に供給する。電池23は、ディジタルカメラ20と主体11との間に設置される。
【００１３】
また、本考案に係わるマイクロ距離顕微撮影スイッチ装置10は、更に、スイッチ112が含有される。スイッチ112は、電池23に電気的に接続され、また、スイッチ112は、主体11に設置される。スイッチ112は、電池23をスイッチ(ON/OFF)するためのものである。
【００１４】
また、本考案に係わるマイクロ距離顕微撮影スイッチ装置10は、更に、プリント回路基板（図に未表示）が含有され、当該プリント回路基板は、主体11の内部空間に収納され、当該プリント回路基板に、マイクロ距離顕微撮影スイッチ装置10の制御回路とする複数の回路素子が半田付けられる。
【００１５】
本考案に係わるマイクロ距離顕微撮影スイッチ装置は、効果や利点として、ディジタルカメラの付加価値が増加され、また、ディジタルカメラを、接近して拡大する撮影装置にすることができる。
【００１６】
以上は、本考案のより良い実施例であり、本考案は、それによって制限されず、本技術を良く分かる熟練者であれば、本考案の精神や実用新案登録請求の範囲に従って、簡単に等価の変更や修正ができ、当該変更や修正は、全てが、本考案の実用新案登録請求の範囲に含まれる。
【図面の簡単な説明】
【００１７】
【図１】本考案がディジタルカメラに適用される時の立体分解図
【符号の説明】
【００１８】
10     マイクロ距離顕微撮影スイッチ装置ディジタルカメラ
11     主体
13     鏡筒リング
15     レンズベース
17     レンズ
19     光源発生素子
20     ディジタルカメラ
21     長鏡筒
110    中空部
150    レンズ穴
201    レンズ
【図１】
0003120470.tif 000003